(57)【要約】      （修正有）【課題】ユーザが多種類の運動を行うことにより身体を鍛錬することができるトレーニングベンチ装置を提供する。【解決手段】トレーニングベンチ装置は、ベンチ装置３を搭載した前側支持体１と上肢鍛錬装置を設けた後側支持体２を前後方向に離間して配置しており、ベンチ装置３は、固定されたシート部３ａの後端部にバックレスト部３ｂを起伏方向に回動自在に枢結して成り、前側支持体１と後側支持体２の一方を床上で前後方向に移動することにより両支持体１、２の離間距離を変更可能かつ固定可能とした伸縮連結装置２４を設けており、バックレスト部３ｂと後側支持体２をリンク手段３０で連結することにより、前記離間距離が短くされたときはバックレスト部３ｂを起立させ、離間距離が長くされたときはバックレスト部３ｂを伏臥させる連動機構２９が設けられている。【選択図】図６
0003234794.tif 000002
【実用新案登録請求の範囲】
【請求項１】
床上で前後方向に配置された前側支持体(1)と後側支持体(2)を備え、前側支持体の上にベンチ装置(3)を搭載し、後側支持体の上に上肢鍛錬装置(5)を設けており、
前記ベンチ装置(3)は、前側支持体(1)に固定されたシート部(1a)の後端部にバックレスト部(3b)を起伏方向に回動自在に枢結し、バックレスト部を後側支持体に臨ませて配置しており、
前側支持体と後側支持体のうち少なくとも一方は床上で前後方向に移動し、該移動により両支持体(1)(2)の離間距離を複数の所望距離となるように変更すると共に、所望距離を形成した位置で移動不能に固定するように、両支持体を相互に連結する伸縮連結装置(24)を設けており、
両端部をそれぞれバックレスト部(3b)と後側支持体(2)に回動自在に枢結したリンク手段(30)を設けることにより、両支持体の離間距離が短くなるように変更されたときはバックレスト部を起立させ、離間距離が長くなるように変更されたときはバックレスト部を伏臥させる連動機構(29)を構成して成ることを特徴とするトレーニングベンチ装置。
【請求項２】
前側支持体(1)が床上に固定され、後側支持体(2)が床上を移動するように構成され、
前記伸縮連結装置(24)は、前側支持体に設けた固定部材(25)に対して、後側支持体に設けた移動部材(26)を摺動自在に結合することにより構成され、移動部材(26)の長手方向に間隔をあけて設けた係止部(27)に固定部材(25)に設けたロック手段(28)を係脱自在に係止するように構成して成ることを特徴とする請求項１に記載のトレーニングベンチ装置。
【請求項３】
前側支持体(1)には、ユーザがシート部に着座した状態で下肢鍛錬運動を行うレッグカール運動装置(4)が設けられており、
レッグカール運動装置(4)は、シート部（3a)の前端近傍部に位置してユーザの膝関節を載せる固定バー(7)を設け、該固定バーの近傍部に位置して揺動アーム(9)の上端部を横軸廻りに回動自在に枢支し、該揺動アームの下端部にユーザの足の甲を受止める可動バー(10)を設け、足の力で揺動アームを垂設姿勢から前方に回動させることにより下肢を運動するように構成され、
前記揺動アーム(9)には、該揺動アームを垂設姿勢に向けて弾発付勢するゴム製長尺体から成る負荷手段(11)が設けられ、該負荷手段の端部は前側支持体に設けたレール部(12)の固定部(13)に係脱自在に係止固定されており、前記固定部(13)は、ゴム製長尺体の伸縮方向に関して、間隔をあけて複数個所に配設されて成ることを特徴とする請求項１又は２に記載のトレーニングベンチ装置。
【請求項４】
後側支持体(2)に設けられた上肢鍛錬装置(5)は、バタフライ運動装置(5A)とベンチプレス運動装置(5B)を兼用可能とするように構成され、
後側支持体(2)の支柱(16)から左右に延びるビーム体(18,18)が設けられ、左右のビーム体(18)は、それぞれ、支柱に固定されたメインビーム(18a)と、自由端を有するサブビーム(18b)に分割され、メインビームに対してサブビームが水平姿勢と垂下姿勢の間で姿勢変更自在となるように屈折自在に連結すると共に、サブビーム(18b)に上肢鍛錬装置(5)を設けており、
上肢鍛錬装置(5)は、サブビーム(18b)を水平姿勢とした状態において、サブビームに縦軸廻りに回動自在に枢支された枢支部(20)から前方に延びると共に前端部に上下方向に延びるグリップ(21)を設けた作動アーム(22)と、サブビームの自由端と作動アームを連結すると共に該アームを前記自由端に向けて付勢する負荷手段(23)を備えており、
サブビーム(18b)を水平姿勢としたときは、ユーザが両手で左右の上肢鍛錬装置のグリップ(21)を握持して作動アーム(22,22)を左右方向に回動させるバタフライ運動装置(5A)として使用され、
サブビーム(18b)を垂下姿勢としたときは、ユーザが両手で左右の上肢鍛錬装置のグリップ(21)を握持して作動アーム(22,22)を上下方向に回動させるベンチプレス運動装置として使用されるように構成して成ることを特徴とする請求項１、２又は３に記載のトレーニングベンチ装置。
【考案の詳細な説明】
【技術分野】
【０００１】
本考案は、ユーザが多種類の運動を行うことにより身体を鍛錬することができるトレーニングベンチ装置に関する。
【背景技術】
【０００２】
従来、ベンチを備えたトレーニングベンチ装置が提案されている。床上に設置される台座に搭載されたベンチ装置は、シート部の後端部に傾斜角度を選択可能とされたバックレスト部を連結している。これにより、ユーザは、シート部に着座した状態で、上半身を前後及び上下に移動、つまり、背部がバックレスト部に支持された位置と、バックレスト部から離反して起立する位置との間で、往復動を行うことにより、主として腹筋を鍛錬することができる。
【０００３】
その他、身体鍛錬装置として種々のものが提案されており、例えば、レッグカール運動装置や、バタフライ運動装置や、ベンチプレス運動装置等が提供されている。
【先行技術文献】
【特許文献】
【０００４】
【特許文献１】特許第６１５０１６０号公報
【特許文献２】実用新案登録第３１９１２７９号公報
【特許文献３】実用新案登録第３２２０８０４号公報
【考案の概要】
【考案が解決しようとする課題】
【０００５】
例えば、一般家庭においてユーザが身体の鍛錬を必要とする場合、設置スペース等の関係上、１台の装置に上述のようなトレーニングベンチ装置に加えて種々の身体鍛錬装置が組み合わされていることが望ましい。
【０００６】
しかしながら、その組み合わせ形態や配置形態について、どのように構成するのが望ましいか等に関して解決すべき課題がある。
【０００７】
そして、トレーニングベンチ装置は、上述のようにシート部に対してバックレスト部が傾斜角度を選択できるように構成されている。このため、組み合わせたバタフライ運動装置やベンチプレス運動装置等の身体鍛錬装置をベンチ装置の上方に配置した場合、バックレスト部の傾斜角度に応じて、ユーザの上半身の姿勢が変わる。このため、ユーザの上半身と身体鍛錬装置の間の距離が適切でなくなり、そのような姿勢で運動することは好ましくないという問題がある。
【０００８】
更に、トレーニングベンチ装置は、腹筋運動等が行われる際、バックレスト部に衝撃が与えられるので、この点を考慮した上で、傾斜角度を変更して選択するための手段や、バックレスト部を所定角度に保持するための手段等について、どのように構成すべきであるかに関して解決すべき課題がある。
【０００９】
本考案は、上記課題を解決したトレーニングベンチ装置を提供することを課題としている。
【課題を解決するための手段】
【００１０】
そこで、本考案が手段として構成したところは、床上で前後方向に配置された前側支持体と後側支持体を備え、前側支持体の上にベンチ装置を搭載し、後側支持体の上に上肢鍛錬装置を設けており、前記ベンチ装置は、前側支持体に固定されたシート部の後端部にバックレスト部を起伏方向に回動自在に枢結し、バックレスト部を後側支持体に臨ませて配置しており、前側支持体と後側支持体のうち少なくとも一方は床上で前後方向に移動し、該移動により両支持体の離間距離を複数の所望距離となるように変更すると共に、所望距離を形成した位置で移動不能に固定するように、両支持体を相互に連結する伸縮連結装置を設けており、両端部をそれぞれバックレスト部と後側支持体に回動自在に枢結したリンク手段を設けることにより、両支持体の離間距離が短くなるように変更されたときはバックレスト部を起立させ、離間距離が長くなるように変更されたときはバックレスト部を伏臥させる連動機構を構成して成る点にある。
【００１１】
好ましくは、前側支持体が床上に固定され、後側支持体が床上を移動するように構成され、前記伸縮連結装置は、前側支持体に設けた固定部材に対して、後側支持体に設けた移動部材を摺動自在に結合することにより構成され、移動部材の長手方向に間隔をあけて設けた係止部に固定部材に設けたロック手段を係脱自在に係止するように構成している。
【００１２】
好ましい実施形態において、前側支持体には、ユーザがシート部に着座した状態で下肢鍛錬運動を行うレッグカール運動装置が設けられており、レッグカール運動装置は、シート部の前端近傍部に位置してユーザの膝関節を載せる固定バーを設け、該固定バーの近傍部に位置して揺動アームの上端部を横軸廻りに回動自在に枢支し、該揺動アームの下端部にユーザの足の甲を受止める可動バーを設け、足の力で揺動アームを垂設姿勢から前方に回動させることにより下肢を運動するように構成され、前記揺動アームには、該揺動アームを垂設姿勢に向けて弾発付勢するゴム製長尺体から成る負荷手段が設けられ、該負荷手段の端部は前側支持体に設けたレール部の固定部に係脱自在に係止固定されており、前記固定部は、ゴム製長尺体の伸縮方向に関して、間隔をあけて複数個所に配設されている。
【００１３】
更に好ましい実施形態において、後側支持体に設けられた上肢鍛錬装置は、バタフライ運動装置とベンチプレス運動装置を兼用可能とするように構成され、後側支持体の支柱から左右に延びるビーム体が設けられ、左右のビーム体は、それぞれ、支柱に固定されたメインビームと、自由端を有するサブビームに分割され、メインビームに対してサブビームが水平姿勢と垂下姿勢の間で姿勢変更自在となるように屈折自在に連結すると共に、サブビームに上肢鍛錬装置を設けており、上肢鍛錬装置は、サブビームを水平姿勢とした状態において、サブビームに縦軸廻りに回動自在に枢支された枢支部から前方に延びると共に前端部に上下方向に延びるグリップを設けた作動アームと、サブビームの自由端と作動アームを連結すると共に該アームを前記自由端に向けて付勢する負荷手段を備えており、サブビームを水平姿勢としたときは、ユーザが両手で左右の上肢鍛錬装置のグリップを握持して作動アームを左右方向に回動させるバタフライ運動装置として使用され、サブビームを垂下姿勢としたときは、ユーザが両手で左右の上肢鍛錬装置のグリップを握持して作動アームを上下方向に回動させるベンチプレス運動装置として使用されるように構成している。
【考案の効果】
【００１４】
本考案は、ベンチ装置３のシート部３ａを搭載した前側支持体１と、上方に上肢鍛錬装置５を設けた後側支持体２を構成し、伸縮連結装置２４を介して、一方の支持体１に対し他方の支持体２を床上で移動させることにより、両支持体１、２の離間距離を変更させることができる。そして、ベンチ装置３のバックレスト部３ｂと後側支持体２の間に設けた連動機構２９を介して、前記離間距離が短くなるように変更されたときはバックレスト部３ｂを起立させ、離間距離が長くなるように変更されたときはバックレスト部３ｂを伏臥させるように構成している。
このため、バックレスト部３ｂの起立姿勢を選択し、ユーザの上半身を前方移動位置に設定するときは、後側支持体２に追従して上肢鍛錬装置５が前方移動した位置に設置される。反対に、バックレスト部３ｂを起立姿勢から傾斜姿勢とさせ、ユーザの上半身を後方移動位置に設定するときは、後側支持体２に追従して上肢鍛錬装置５が後方移動した位置に設置される。
このように、本考案によれば、バックレスト部３ｂの傾斜角度に応じてユーザの上半身の姿勢が変わる場合でも、ユーザの上半身と上肢鍛錬装置５の間の距離が適切な距離に設定されるという効果がある。
【図面の簡単な説明】
【００１５】
【図１】本考案の１実施形態に関して、ベンチ装置のバックレスト部を起立させ、上肢鍛錬装置をバタフライ運動装置として使用する場合の例を示しており、（Ａ）は全体を前側から示す斜視図、（Ｂ）はバタフライ運動装置を示す拡大図である。
【図２】ベンチ装置のバックレスト部を起立させ、上肢鍛錬装置をベンチプレス運動装置として使用する場合の例を示しており、（Ａ）は全体を前側から示す斜視図、（Ｂ）はベンチプレス運動装置を示す拡大図である。
【図３】ベンチ装置のバックレスト部を起立させ、前側支持体に設けたレッグカール装置を使用する場合の例を示しており、（Ａ）は全体の側面図、（Ｂ）は前側から示す斜視図、（Ｃ）は負荷手段の負荷調節手段を示す拡大図である。
【図４】ベンチ装置のバックレスト部を傾斜させた状態を示しており、（Ａ）は上肢鍛錬装置をバタフライ運動装置とした状態で全体を後側から示す斜視図、（Ｂ）は上肢鍛錬装置をベンチプレス運動装置とした状態を示す側面図である。
【図５】ベンチ装置のバックレスト部を伏臥させた状態を示しており、全体を後側から示す斜視図である。
【図６】前側支持体と後側支持体の間における伸縮連結装置とリンク手段を示しており、（Ａ）は伸縮連結装置の固定部材と移動部材を分離した状態を示す斜視図、（Ｂ）はリンク手段を示す斜視図である。
【図７】伸縮連結装置とリンク手段の作用を示しており、（Ａ）はベンチ装置のバックレスト部を起立させた状態を示す側面図、（Ｂ）はベンチ装置のバックレスト部を傾斜させた状態を示す側面図、（Ｃ）はベンチ装置のバックレスト部を伏臥させた状態を示す側面図である。
【考案を実施するための形態】
【００１６】
以下図面に基づいて本考案の好ましい実施形態を詳述する。
【００１７】
トレーニングベンチ装置の各構成要素の配置形態について、図１（Ａ）に示すように、前後方向をＸとし、左右方向をＹとして、以下に説明する。
【００１８】
（全体的構成）
トレーニングベンチ装置は、床上で前後方向Ｘに配置された前側支持体１と後側支持体２を備えている。前側支持体１は、ベンチ装置３を搭載すると共に、前端部に位置してレッグカール運動装置４を設けている。そして、後側支持体２は、上方に位置して上肢鍛錬装置５を設けている。
【００１９】
ベンチ装置３は、前側支持体１に固定されたシート部３ａの後端部にバックレスト部３ｂを起伏方向に回動自在に枢結し、バックレスト部３ｂを後側支持体２に臨ませて配置している。図示実施形態は、それぞれ前後方向Ｘに延びるセンターフレーム６ａ、６ｂをシート部３ａ及びバックレスト部３ｂの底部の左右方向Ｙの中央に固設し、両フレーム６ａ、６ｂの突合せ端部を傾動軸６ｃにより横軸廻りに枢結することにより、該傾動軸６ｃを支点として、シート部３ａに対してバックレスト部３ｂが起伏方向に回動するように構成している。
【００２０】
図示実施形態の場合、前側支持体１は床上に固定され、後側支持体２は床上を前後方向Ｘに移動するように構成されており、従って、後側支持体２が移動させられることにより、両支持体１、２の離間距離が変更され、複数の所望の離間距離を選択することができるように構成されている。尚、固定側と移動側を反対に構成しても良く、後側支持体２を床上に固定させ、前側支持体１を移動するように構成しても良い。
【００２１】
前側支持体１は、前記シート部３ａのセンターフレーム６ａを支持すると共に、ユーザがシート部３ａに着座した状態で下肢鍛錬運動を行うレッグカール運動装置４を設けている。
【００２２】
（レッグカール運動装置）
レッグカール運動装置４は、図３に示すように、シート部３ａの前端近傍部に位置してユーザの両足の膝関節を載せる固定バー７、７を設け、該固定バーの近傍部に固設されたブラケット８に揺動アーム９の上端部を横軸廻りに回動自在に枢支し、該揺動アーム９の下端部にユーザの足の甲を受止める可動バー１０、１０を設けており、足の力で揺動アーム９を垂設姿勢から前方に回動させることにより下肢を運動するように構成されている。
【００２３】
このような足の運動に負荷を与えるため、揺動アーム９には、該揺動アームを垂設姿勢に向けて弾発付勢する負荷手段１１が設けられている。負荷手段１１は、ゴムチューブ等のゴム製長尺体（以下、「ゴムチューブ」という。）により形成されており、揺動アーム９の上部に固定されたゴムチューブの一方の端部から揺動アーム９の下部の自由端に設けられたプーリを経由させられ、ゴムチューブの他方の端部を前側支持体１に設けたレール部１２に係止固定されている。
【００２４】
この際、レール部１２は、ゴムチューブの伸縮方向に間隔をあけて複数の孔から成る固定部１３を配設しており、ゴムチューブの端部に設けたフックを有する係止部１４を係脱自在に係止固定するように構成されている。従って、選択した固定部１３に係止部１４を係止することにより、ゴムチューブの張力を調整することができ、負荷手段１１の負荷を変更することが可能である。
【００２５】
後側支持体２は、床上を走行可能なキャスタ１５を設けると共に、支柱１６を備えている。支柱１６は、固定支柱１６ａと、該固定支柱１６ａの上端部に摺動自在に挿入された延長支柱１６ｂを設け、任意の摺動位置で固定支柱１６ａに摺動不能に固定される固定手段１７が設けられている。
【００２６】
（上肢鍛錬装置）
後側支持体２に設けられた上肢鍛錬装置５は、バタフライ運動装置５Ａとベンチプレス運動装置５Ｂを兼用可能とするように構成されている。
【００２７】
前記支柱１６を構成する延長支柱１６ｂには、左右に延びるビーム体１８、１８が設けられており、左右のビーム体１８は、それぞれ、延長支柱１６ｂに固定されたメインビーム１８ａと、自由端を有するサブビーム１８ｂに分割され、メインビーム１８ａに対してサブビーム１８ｂが水平姿勢と垂下姿勢の間で姿勢変更自在となるように枢結手段１９を介して屈折自在に連結され、枢結手段１９には水平姿勢と垂下姿勢とされた姿勢を固定可能とする挿脱自在なボルトから成る固定手段が設けられている。そして、サブビーム１８ｂに上肢鍛錬装置５が設けられている。
【００２８】
上肢鍛錬装置５は、図１に示すように、サブビーム１８ｂを水平姿勢とした状態において、サブビーム１８ｂに縦軸廻りに回動自在に枢支された枢支部２０から前方に延びると共に前端部に上下方向に延びるグリップ２１を設けた作動アーム２２と、サブビーム１８ｂの自由端と作動アーム２２を連結すると共に該アーム２２を前記自由端に向けて付勢するシリンダ式の負荷手段２３を設けている。
【００２９】
従って、上肢鍛錬装置５は、図１に示すように、サブビーム１８ｂを水平姿勢としたときは、ユーザが両手で左右のグリップ２１を握持して作動アーム２２を左右方向に回動させるバタフライ運動装置５Ａとして使用される。
【００３０】
その一方において、上肢鍛錬装置５は、図２に示すように、サブビーム１８ｂを垂下姿勢としたときは、ユーザが両手で左右のグリップ２１を握持して作動アーム２２を上下方向に回動させるベンチプレス運動装置５Ｂとして使用される。
【００３１】
（伸縮連結装置）
床上に固定される前側支持体１と、床上を移動可能な後側支持体２は、後側支持体２の移動により、両支持体１、２の離間距離が変更され、複数の所望の離間距離を選択することができるように、伸縮連結装置２４により連結されている。
【００３２】
伸縮連結装置２４は、図６に示すように、前側支持体１に設けた固定部材２５と、後側支持体２に設けた移動部材２６により構成され、両部材２５，２６を摺動自在に結合すると共に、移動部材２６の長手方向（前後方向Ｘ）に間隔をあけて設けた係止部２７に対して、固定部材２５に設けたロック手段２８を係脱自在に係止してロックするように構成されている。図示実施形態の場合、移動部材２６を固定部材２５に摺動自在に挿入し、移動部材２６に設けた孔から成る係止部２７に対して、固定部材２５に設けられた摘み付きのボルトを挿入して係止するように構成している。
【００３３】
係止部２７の個数は問わないが、少なくとも間隔をあけて３個の係止部２７が配設されており、前側支持体１と後側支持体２の離間距離は、図７（Ａ）に示す最短距離と、図７（Ｃ）に示す最長距離と、図７（Ｂ）に示す中間距離の３種類の範囲で選択可能とするように構成することが好ましい。
【００３４】
（連動機構）
このような構成に基づいて、ベンチ装置３のバックレスト部３ｂと、後側支持体２の間には、両支持体１、２の離間距離が短くなるように変更されたときはバックレスト部３ｂを起立させ、離間距離が長くなるように変更されたときはバックレスト部３ｂを伏臥させる連動機構２９が設けられている。
【００３５】
連動機構２９は、図６に示すように、両端部をそれぞれバックレスト３ｂ部と後側支持体２に回動自在に枢結したリンク手段３０により構成されている。
【００３６】
前記リンク手段３０は、一対のリンクアーム３１、３１を並設したほぼＨ形のものとされ、バックレスト部３ｂのセンターフレーム６ｂと、後側支持体２の支柱１６（固定支柱１６ａ）に固設されたブラケット３２を相互に連結している。図例の場合、リンクアーム３１、３１の前側の端部は、センターフレーム６ｂを両側から挟持した状態で枢軸３１ａにより枢支される。リンクアーム３１、３１の後側の端部は、前記ブラケット３２を両側から挟持した状態で枢軸３１ｂにより枢支される。
【００３７】
図示実施形態の場合、前記ブラケット３２の上に平板状の支持座３３が設けられており、図５に示すように、バックレスト部３ｂを伏臥姿勢としたとき、センターフレーム６ｂの端部が支持座３３に支持されるように構成している。
【００３８】
（作用）
上記構成のトレーニングベンチ装置は、伸縮連結装置２４を介して後側支持体２を前後方向に移動し、係止部２７にロック手段２８を係止してロックすることにより、前側支持体１と後側支持体２の離間距離に関して、図７（Ａ）（Ｂ）（Ｃ）に示すような最短距離と、中間距離と、最長距離の３態様を選択することにより使用される。
【００３９】
離間距離を変更する際、ユーザは、伸縮連結装置２４を介して後側支持体２を前後方向に移動すると、ベンチ装置３のバックレスト部３ｂが連動機構２９を介して自動的に傾動させられる。
【００４０】
図７（Ａ）に示す最短距離を選択したとき、バックレスト部３ｂは起立姿勢とされている。そこで、ユーザがベンチ装置３に着座すると、上肢鍛錬装置５がユーザの上半身に臨まされる。
【００４１】
この状態で、ユーザは、レッグカール運動装置４と、上肢鍛錬装置５から選択可能なバタフライ運動装置５Ａとベンチプレス運動装置５Ｂに基づいて３種類の運動を行うことができる。
【００４２】
図７（Ｂ）に示す中間距離を選択したとき、バックレスト部３ｂは傾斜姿勢とされている。そこで、ユーザがベンチ装置３に着座すると、斜め仰向けとされたユーザの上半身に上肢鍛錬装置５が臨まされる。
【００４３】
この状態で、ユーザは、レッグカール運動装置４を使用した運動と上半身を前後させる腹筋運動を行うことができ、更に、上肢鍛錬装置５により選択可能なバタフライ運動装置５Ａとベンチプレス運動装置５Ｂに基づく運動を行うことができる。尚、バックレスト部３ｂの傾斜角度が大きい場合は、図４（Ｂ）に示すように、特に、ベンチプレス運動に適したものとなる。
【００４４】
図７（Ｃ）に示す最長距離を選択したとき、バックレスト部３ｂは伏臥姿勢とされている。そこで、ユーザは、ベンチ装置３のシート部３ａに着座した状態から仰向けとなる姿勢をとり、膝関節をレッグカール運動装置４の固定バー７に載せた状態で、上半身を前後に起伏運動することにより、腹筋運動を行うことができる。
【符号の説明】
【００４５】
１  前側支持体
２  後側支持体
３  ベンチ装置
３ａ  シート部
３ｂ  バックレスト部
４  レッグカール運動装置
５  上肢鍛錬装置
５Ａ  バタフライ運動装置
５Ｂ  ベンチプレス運動装置
６ａ、６ｂ  センターフレーム
６ｃ  傾動軸
７  固定バー
８  ブラケット
９  揺動アーム
１０  可動バー
１１  負荷手段
１２  レール部
１３  固定部
１４  係止部
１５  キャスタ
１６  支柱
１６ａ  固定支柱
１６ｂ  延長支柱
１７  固定手段
１８  ビーム体
１８ａ  メインビーム
１８ｂ  サブビーム
１９  枢結手段
２０  枢支部
２１  グリップ
２２  作動アーム
２３  負荷手段
２４  伸縮連結装置
２５  固定部材
２６  移動部材
２７  係止部
２８  ロック手段
２９  連動機構
３０  リンク手段
３１  リンクアーム
３１ａ、３１ｂ  枢軸
３２  ブラケット
３３  支持座
【図１】
0003234794.tif 000003
【図２】
0003234794.tif 000004
【図３】
0003234794.tif 000005
【図４】
0003234794.tif 000006
【図５】
0003234794.tif 000007
【図６】
0003234794.tif 000008
【図７】
0003234794.tif 000009